(57)【特許請求の範囲】
【請求項１】
液量を含む容器を、関連する該容器を大気に接続する配管装置（８、１６）で換気及び排気するための装置であって、温度変化により前記容器内の体積が変化したときに圧力均等化を可能とする装置において、
前記配管装置（８、１６）は、分離ハウジング（１２）であって、疎油特性及び疎水特性を備える分離媒体（４６）が前記容器に接続された第１の空間（４２）を大気に接続された第２の空間（４４）から分離する分離ハウジング（１２）を有し、該分離ハウジング（１２）において、配管接続（１０、１４）は、前記分離媒体（４６）で分離された液相物質が前記第１の空間（４２）から前記容器へと排出され且つ前記第２の空間（４４）から大気へと排出され得るように配置され、
設置部（１８）であって、当該設置部（１８）によって前記分離ハウジング（１２）が、該分離ハウジング（１２）の動作位置において前記容器より上の高さで配置されるように固定され得る設置部（１８）があり、前記第１の空間（４２）は、前記容器へとつながる第１の前記配管接続（１０）が吐出する前記分離ハウジング（１２）の下底部を画成することを特徴とする装置。
【請求項２】
液量を含む容器を、関連する該容器を大気に接続する配管装置（８、１６）で換気及び排気するための装置であって、温度変化により前記容器内の体積が変化したときに圧力均等化を可能とする装置において、
前記配管装置（８、１６）は、分離ハウジング（１２）であって、疎油特性及び疎水特性を備える分離媒体（４６）が前記容器に接続された第１の空間（４２）を大気に接続された第２の空間（４４）から分離する分離ハウジング（１２）を有し、該分離ハウジング（１２）において、配管接続（１０、１４）は、前記分離媒体（４６）で分離された液相物質が前記第１の空間（４２）から前記容器へと排出され且つ前記第２の空間（４４）から大気へと排出され得るように配置され、
前記分離ハウジング（１２）が、前記第１の空間（４２）及び前記第２の空間（４４）を覆う中空円筒部（３２）を形成し、動作位置において該中空円筒部（３２）の軸線（４０）は、前記中空円筒部（３２）の内部壁の下部の領域が、底部であって前記第１の空間（４２）を画成し且つ第１の前記配管接続（１０）が吐出する底部を形成するように水平方向に延在することを特徴とする装置。
【請求項３】
液量を含む容器を、関連する該容器を大気に接続する配管装置（８、１６）で換気及び排気するための装置であって、温度変化により前記容器内の体積が変化したときに圧力均等化を可能とする装置において、
前記配管装置（８、１６）は、分離ハウジング（１２）であって、疎油特性及び疎水特性を備える分離媒体（４６）が前記容器に接続された第１の空間（４２）を大気に接続された第２の空間（４４）から分離する分離ハウジング（１２）を有し、該分離ハウジング（１２）において、配管接続（１０、１４）は、前記分離媒体（４６）で分離された液相物質が前記第１の空間（４２）から前記容器へと排出され且つ前記第２の空間（４４）から大気へと排出され得るように配置され、
前記分離ハウジング（１２）が１つの閉止端（３４）とハウジングカバー（７０）によって閉止され得る１つの開放端（３６）とを有し、第１の前記配管接続（１０）が、前記中空円筒部（３２）の径方向外方縁部において前記閉止端（３４）に配置され、
前記分離ハウジング（１２）の前記開放端（３６）から挿入され得るカートリッジ状のフィルター挿入部（４８）が、前記フィルター媒体（４６）であって、前記フィルター挿入部（４８）において前記第２の空間（４４）を画成する内部円筒部（７４）を形成し且つ前記分離ハウジング（１２）の前記開放端（３６）において開放されたフィルター媒体（４６）を有し、前記開放端（３６）が前記ハウジングカバー（７０）によって閉止され得ることを特徴とする装置。
【請求項４】
液量を含む容器を、関連する該容器を大気に接続する配管装置（８、１６）で換気及び排気するための装置であって、温度変化により前記容器内の体積が変化したときに圧力均等化を可能とする装置において、
前記配管装置（８、１６）は、分離ハウジング（１２）であって、疎油特性及び疎水特性を備える分離媒体（４６）が前記容器に接続された第１の空間（４２）を大気に接続された第２の空間（４４）から分離する分離ハウジング（１２）を有し、該分離ハウジング（１２）において、配管接続（１０、１４）は、前記分離媒体（４６）で分離された液相物質が前記第１の空間（４２）から前記容器へと排出され且つ前記第２の空間（４４）から大気へと排出され得るように配置され、
前記ハウジングカバー（７０）が、中央空洞部（７２）であって、前記分離ハウジング（１２）をシールする封止された位置において前記第２の空間（４４）を形成する前記内部円筒部（７４）の前記開放端（７６）と同一平面で接続された中央空洞部（７２）を有し、前記ハウジングカバー（７０）における第２の前記配管接続（１４）が、前記中央空洞部（７２）から径方向外側に延在する排水路を形成することを特徴とする装置。
【請求項５】
液量を含む容器を、関連する該容器を大気に接続する配管装置（８、１６）で換気及び排気するための装置であって、温度変化により前記容器内の体積が変化したときに圧力均等化を可能とする装置において、
前記配管装置（８、１６）は、分離ハウジング（１２）であって、疎油特性及び疎水特性を備える分離媒体（４６）が前記容器に接続された第１の空間（４２）を大気に接続された第２の空間（４４）から分離する分離ハウジング（１２）を有し、該分離ハウジング（１２）において、配管接続（１０、１４）は、前記分離媒体（４６）で分離された液相物質が前記第１の空間（４２）から前記容器へと排出され且つ前記第２の空間（４４）から大気へと排出され得るように配置され、
前記ハウジングカバー（７０）と前記分離ハウジング（１２）との間に、接続装置であって、当該接続装置によって前記ハウジングカバー（７０）は、前記ハウジングカバー（７０）の前記中央空洞部（７２）と相互作用する第２の前記配管接続（１４）が、特に液相の物質のために下方に向けられた排出路を形成するように、前記封止された位置で固定され得る接続装置があることを特徴とする装置。
【請求項６】
液量を含む容器を、関連する該容器を大気に接続する配管装置（８、１６）で換気及び排気するための装置であって、温度変化により前記容器内の体積が変化したときに圧力均等化を可能とする装置において、
前記配管装置（８、１６）は、分離ハウジング（１２）であって、疎油特性及び疎水特性を備える分離媒体（４６）が前記容器に接続された第１の空間（４２）を大気に接続された第２の空間（４４）から分離する分離ハウジング（１２）を有し、該分離ハウジング（１２）において、配管接続（１０、１４）は、前記分離媒体（４６）で分離された液相物質が前記第１の空間（４２）から前記容器へと排出され且つ前記第２の空間（４４）から大気へと排出され得るように配置され、
前記接続装置は、前記ハウジングカバー（７０）における弾性の保持フィンガー（７８、８０）と、前記分離ハウジング（１２）において係合によって前記保持フィンガー（７８、８０）に係合され得る係合本体（８６）と、を有するセーフティスナップの形式で作られ、前記ハウジングカバー（７０）の前記封止された位置のために前記分離ハウジング（１２）において前記保持フィンガー（７８、８０）と相互作用する案内部品（８８）が、下部にある第２の前記配管接続（１４）の回転位置を決定することを特徴とする装置。
【請求項７】
弾性材料のブッシュ（９２）が、前記保持フィンガー（７８、８０）を係合し続けるスナップリングを形成するように前記分離ハウジング（１２）において滑動されることができ、前記ブッシュ（９２）が、前記分離ハウジング（１２）の可撓性支持を形成するため、該ブッシュ（９２）の周縁に配置された環状溝（４４）で、前記設置部（１８）のキャリア部（２４）に固定されることができることを特徴とする請求項６に記載の装置。
【請求項８】
前記分離媒体が、疎油特性及び疎水特性を有するフィルター媒体（４６）によって形成されたことを特徴とする請求項１から請求項７のいずれか一項に記載の装置。
【発明の詳細な説明】
【技術分野】
【０００１】
本発明は、オイル供給部を有するギヤボックスのような液量を含む容器を、配管装置であって関連するその容器を大気に接続する配管装置で換気及び排気するための装置であって、温度変化により容器内の体積が変化したときに圧力均等化を可能とする装置に関する。
【背景技術】
【０００２】
この形式の装置は、先行技術である。技術的装置において配置され作動流体で充填された容器、例えばオイル充填されたギヤボックスは、オイル表面の上に、特に、特定の空気体積であって、温度変化によって生じるオイル供給の体積変化を補償するために使用される特定の空気体積を含む。容器、例えばギヤボックス５から大気へとつながる配管装置は、シール装置、例えばハウジング通路において漏れを生じさせ得る圧力差が生じるのを防ぐ。広い温度範囲に亘り操作され得る装置、例えばギヤボックスの場合において、低温開始時温度と作動温度との間に広い温度範囲が存在し、運転中、圧力均等化のため、配管装置内においてかなりの体積の空気の流れが生じる。特に、体積流れを伴うオイル又はオイル凝縮物の大気への吐出が生じ、或いは、大気からの外部物質の混入が生じる危険性がある。
【発明の概要】
【発明が解決しようとする課題】
【０００３】
この問題について、本発明の目的は、液相物質の吐出と大気からの外部物質の混入とを防ぐことに関する向上された作動信頼性を特徴とする換気を可能とすることにある。
【課題を解決するための手段】
【０００４】
本発明によれば、この目的は、その全体において請求項１に記載された特徴を有する換気装置及び排気装置によって実現される。
【０００５】
従って、本発明に係る重要な特徴は、配管装置は、疎油特性及び疎水特性を備える分離媒体が、容器に接続された第１の空間を、大気に接続された第２の空間から分離する分離ハウジングを有し、分離ハウジングにおいて、配管接続は、分離媒体で分離された液相物質が第１の空間から容器へと排出され且つ第２の空間から大気へと排出され得るように配置されたことにある。分離媒体の疎油特性は、分離ハウジング内においてオイルの大気側へのオーバーフローを防ぐ。同時に、分離媒体の疎水特性は、材料仕様の圧力差になるまで、極性流体、例えば水の、周囲からの侵入の可能性を防ぐ一方で、液相物質によって、完全に接液していない表面において、荷重なく、空気体積の形式における圧力均等化が可能となる。本発明に係る装置によって提供される周囲の水の侵入に対する保護は、湿った環境において操作される装置の容器内において装置が用いられるときに特に重要且つ好適となる。
【０００６】
これは、特に、湿った状態における又は車両洗浄機内の若しくは手で洗浄するときの車両の洗浄における、車両の操作中の、自動車技術におけるギヤボックスのような容器の場合であり、水の侵入は、本発明によって提供される保護的作用が存在しない場合に関する。
【０００７】
特に好適な例示的実施形態において、分離媒体は、疎油特性及び疎水特性を有するフィルター媒体によって形成される。従って、分離媒体は、侵入し得る水を分離するのみならず、固体粒子の侵入に対する保護を提供する。特に、自動車技術で使用されるとき、これは、駆動ダスト粒子又は油性汚染粒子が、運転中にギヤボックス内へと移動されるのを防ぐ。
【０００８】
特に好適には、その構成は、設置部であって、その設置部によって分離ハウジングが、その動作位置において容器より上の高さで配置されるように固定され得る設置部があり、第１の空間は、容器へとつながる第１の配管接続が吐出する分離ハウジングの下底部を画成するように作られる。これは、分離媒体において分離された関連したギヤボックスからのオイル又はオイル凝縮物のような液相物質が、重力の作用によって第１の空間から容易且つ完全に吐出され得ることを確実とする。
【０００９】
特に好適な例示的実施形態において、分離ハウジングは、第１の空間及び第２の空間を覆う中空円筒部を形成し、動作位置において中空円筒部の軸線は、中空円筒部の内部壁の下部の領域が、底部であって第１の空間を画成し且つ第１の配管接続が吐出する底部を形成するように水平方向に延在する。
【００１０】
この場合において、好適には、構成は、分離ハウジングが１つの閉止端とハウジングカバーによって閉止され得る１つの開放端とを有し、且つ、第１の配管接続が、中空円筒部の径方向外方縁部における閉止端に配置されるように作られる。
【００１１】
分離媒体の構造的構成に関し、構成は、分離ハウジングの開放端から挿入され得るカートリッジ状のフィルター挿入部が、分離媒体を形成し、フィルター挿入部において第２の空間を画成する内部円筒部を形成し、且つ、開放端がハウジングカバーによって閉止され得る分離ハウジングの開放端において開放されたフィルター媒体を有するように作られ得る。こうして形成された第２の空間のハウジングカバーへの流体接続によって、ハウジングカバーにおいて大気へとつながる第２の配管接続が、このハウジングカバーに直接設けられ得る。
【００１２】
この点について、好適には、構成は、ハウジングカバーが、分離ハウジングをシールする封止された位置において第２の空間を形成する内部円筒部の開放端と同一平面で接続された中央空洞部を有し、ハウジングカバーにおける第２の配管接続が、中央空洞部から径方向外方に延在する排水路を形成するように作られる。
【００１３】
特に好適な例示的実施形態において、ハウジングカバーと分離ハウジングとの間に、接続装置であって、その接続装置によってハウジングカバーが、第２の配管接続がハウジングカバーの空洞部からの液相物質のために下方に向けられた排水路を形成するように封止された位置において固定され得る接続装置がある。
【００１４】
特に好適な例示的実施形態において、接続装置は、ハウジングカバーにおける弾性の保持フィンガーと、分離ハウジングにおいて係合によって保持フィンガーに係合され得る係合本体と、を有するセーフティスナップの形式で作られ、ハウジングカバーの封止された位置のために分離ハウジングにおいて保持フィンガーと相互作用する案内部品が、下部にある第２の配管接続の回転位置を決定する。従って、液相物質、例えばフィルター媒体まで通過した水は、重力の作用によって大気へと再度戻されることができる。
【００１５】
特に好適な例示的実施形態において、弾性材料のブッシュが、保持フィンガーを係合し続けるスナップリングを形成するように分離ハウジングにおいて滑動されることができ、ブッシュが、ブッシュの周縁に配置された環状溝で、設置部のキャリア部に固定されることができ、それによって、ブッシュは更に、その固定のため、分離ハウジングの可撓性支持を形成する。
【００１６】
本発明は以下で図中に示された１つの例示的実施形態を用いて詳細に説明される。
【図面の簡単な説明】
【００１７】
【図１】本発明に係る換気装置及び排気装置の例示的実施形態を有するギヤボックスを備えたモーター車両駆動軸の一部の概略的に簡略された部分斜視図を示す。
【図２】図１と比較して拡大された本発明に係る換気装置及び排気装置の分離して示された例示的実施形態の斜視図を示す。
【図３】例示的実施形態の分離ハウジングのみの分解斜視図を示し、実際の例示的実施形態に対し、サイズがわずかに小さくなっている。
【図４】実際の例示的実施形態と比較して約１．５倍拡大されて示された例示的実施形態の分離ハウジングの長手方向区分を示す。
【発明を実施するための形態】
【００１８】
本発明は、以下で、本発明に係る装置によって換気されて排気され得る容器が商用車両の駆動軸４のギヤボックス２である例示を用いて説明されるが、その駆動軸は部分的且つ概略的にしか示されていない。これらの装置における公知の方法において、ギヤボックス２はオイルで充填され、オイル表面の上方において、特定の空気体積が存在する。駆動軸４の全体の操作温度範囲に亘る圧力均等化のため、ギヤボックス２の通常の設置位置における最も高い位置に配置されたギヤボックス２における部位において、換気及び排気接続６がある。その排気接続６は、配管装置の第１の区分を形成する第１のホース配管８を介して分離ハウジング１２の第１の配管接続１０に接続される。分離ハウジングは、第２の配管接続１４を有し、その第２の配管接続１４から、配管装置の第２の区分を形成するホース配管１６は、大気へとつながる。ギヤボックスカバー２０へとねじ止めされた設置部１８は、ギヤボックス２における換気及び排気接続６に対し、より高い位置で配置されるように分離ハウジング１２をその動作位置で固定し、それによって、ホース配管８は、分離ハウジング１２からギヤボックス２への流体排水が重力の作用によって行われる勾配区分を形成する。
【００１９】
図２は、ハウジングカバー２０にねじ込むためのねじクリップ２２を備える設置部１８、及び、ねじクリップ２２から上方へと傾いて延在し分離ハウジング１２のための実際の支持を形成するキャリア部２４の詳細を示す。分離ハウジング１２の第２の配管接続１４から大気へとつながる第２のホース配管１６は、第２の配管接続１４からホース端部２６まで下方へとかなりの距離延在し、傾いている。これは、関連した車両が洗浄されるときに可撓性ホースが、例えば洗浄機の水噴流を回避するのを容易とする。ホース端部２６からの距離において、ホース配管１６は、設置部１８の下部端を形成する肩部３０で固定された弾性ホース支持部２８によって保持される。
【００２０】
図３及び図４は、分離ハウジング１２の詳細を示す。明らかなように、略円筒状に作られた分離ハウジング１２は、内部において、１つの閉止端３４と１つの開放端３６を備える中空円筒部３２を形成する。閉止端３４において、第１の配管接続１０は、中空円筒部３２への流入及び排水路３８が通常の作動位置においてその最下部領域に吐出するような位置構成にある。長手方向軸線４０の下方で最も遠い中空円筒部３２のこの領域は、中空円筒部３２の内部壁を画成する第１の空間４２を形成する。この第１の空間４２は、分離ハウジング１２内に配置された分離媒体によって、大気側に属する第２の空間４４から分離される。
【００２１】
この例示において、分離媒体は、フィルター媒体４６であって、疎油特性及び疎水特性を有し、図３の分解図において分離して示され且つ開放端３６から中空円筒部３２へと矢印５０の方向で挿入され得るカートリッジ状のフィルター挿入部４８の一部である、フィルター媒体４６によって形成される。フィルター媒体４６は、１つの閉止端５４と１つの開放端５６とを備えるプラスチックで射出成形された支持構造５２内に内部円筒部７４を形成し、フィルター挿入部４８と共に中空円筒部４２の開放端３６と同一平面で設置される。開放端５６の領域において、支持構造５２は、中空円筒部３２の内部壁に対してＯリング５８によってシールされる。従って、中空円筒部３２内において、第１の空間４２及び第２の空間４４は、フィルター媒体４６によって互いに完全に分離され、そのフィルター媒体４６は、第１の配管接続１０からのオイル又はオイル凝縮物の形式又は第２の配管接続１４からの水の形式における液相物質のオーバーフローに関して分離媒体として用いられる一方で、空気の体積流量は、空間４２と空間４４との間の圧力均等化を可能とされる。
【００２２】
支持構造５２は、縦に延在するウェブ６０と、ウェブ６２であって、図３及び図４で全体は見えなく全てが同じ断面区分を有してはいない、延在して交差するウェブ６２と、を有する。従って、図４に示された設置位置において、図４の上部におけるウェブ６０は、より大きな材料断面を有し、中空円筒部３２の内側に当接している。逆に、図面の斜線部によれば、中空円筒部３２の下部内部壁領域には、それに当接し且つ縦に延在する細長部がないため、完全な３つの支持細長部を備えるフィルター挿入部４８と中空円筒部３２の内部壁との間に第１の空間４２を形成する開放空間がある。この開放空間を維持するためのスペーサーは、交差して延在し、図３及び図４には示されていない細長部６２上で少し径方向に突出するボタン状の突出部６４であり、突出部は、図４で示された設置位置における第１の空間４２の底部で、中空円筒部３２の内部壁に当接する。フィルター挿入部４８及び分離ハウジング１２が結合されるとき、動作矢印５０によって図３で示されたように対応する位置でフィルター挿入部４８が挿入される。この位置は、シールのプレテンションを備えた支持構造５２の開放端５６のＯリング５８が分離ハウジング１２の縁部区分の縁凹部６６の内部壁に当接するため、作動中に維持される。
【００２３】
分離ハウジング１２は、開放端３６において、図３に示されたハウジングカバー７０によって封止されることができる。そのハウジングカバー７０は、中央空洞部７２を有し、図４で示された封止位置においてフィルター媒体４６によって形成され第２の空間４４を含む内部円筒部７４の開放端７６を画成し、カバー７０の空洞部７２からその空洞部は第２の空間４６へと接続され、第２の配管接続１４は、径方向で下方に延在する。カバー７０を分離ハウジング１２に取付けるためのセーフティスナップの形式の接続装置がある。このため、カバー７０において、周縁に離散し、開口部８２を有する軸方向に延在する保持フィンガー７８及び保持フィンガー８０があり、保持フィンガー７８及び保持フィンガー８０が円筒カバー８４上で滑動されたとき、係合本体８６に係合する。それを確実とするため、カバー７０は、図３及び図４で示された回転位置が有効（prevails）なときにのみ封止された位置、例えばスナップ係合へと移動されることができ、そのとき第２の配管接続１４は、鉛直下方に延在し、分離ハウジング１２において案内本体８８は、係合本体８６間で形成され、それらの間の変化するサイズの距離を自由にする。そこに設置されると、保持フィンガー７８及び保持フィンガー８０は、様々な幅を有するため、カバー７０及び分離ハウジング１２は、スナップ接続が形成されるような１つの所望の回転位置にあるときにのみ共に動かされることができる。
【００２４】
図３において分離して示され図４において動作位置で示されたエラストマー材料のブッシュ９２は、滑動された動作位置において保持フィンガー７８、８０に重なるスナップリングを形成し、ラッチ係合を確実とする。ブッシュ９２は、周縁の環状溝９４を有し、設置部１８のキャリア部２４の区分９６へと固定されることができることにより、ブッシュ９２は、付加的機能において、分離ハウジング１２の弾性的保持を形成する。
【００２５】
大気からの埃又は汚染粒子の侵入に対する効果的な保護のため、フィルター媒体４６は、対応するフィルター繊細さを有することができる。フィルター媒体４６のこの設計において、疎油特性及び疎水特性が、圧力均等化のため必要なある程度の透過性と共に実現される。
【図１】
0005873089.tif 000002
【図２】
0005873089.tif 000003
【図３】
0005873089.tif 000004
【図４】
0005873089.tif 000005